(57)【特許請求の範囲】
【請求項１】
複数のノズルから液体を吐出する液体吐出ヘッドと、
前記液体吐出ヘッドから液体を吸引する吸引機構とを備える液体吐出装置において、
前記吸引機構は、
前記液体吐出ヘッドに当接し、前記液体吐出ヘッドとの間に空間を形成するとともに前記複数のノズルを覆うキャップ部材と、
前記キャップ部材の一面に形成された吸引孔を介して接続され、前記空間の圧力を低下させる吸引ポンプと、
前記キャップ部材の内部において、前記吸引孔及び前記吸引孔が形成された面を覆うとともに、前記キャップ部材との間に吸引経路を形成する面を有する吸引補助部材と、
前記吸引補助部材の前記吸引経路を形成する面と前記キャップ部材の前記吸引孔が形成された面との間に隙間を設ける第１の支持部とを備え、
前記吸引補助部材は、前記吸引孔と対向する面に前記キャップ部材の長手方向に伸びる溝部が形成され、
前記溝部は、前記吸引補助部材の端部において分岐していることを特徴とする液体吐出装置。
【請求項２】
前記溝部は、前記吸引補助部材の長手方向における両端部に向かって分岐していることを特徴とする請求項１に記載の液体吐出装置。
【請求項３】
前記吸引補助部材は、前記キャップ部材に対し着脱可能であることを特徴とする請求項１又は２に記載の液体吐出装置。
【請求項４】
前記吸引補助部材と前記第１の支持部は、一体に構成されていることを特徴とする請求項１乃至３のいずれか一項に記載の液体吐出装置。
【請求項５】
前記キャップ部材の短手方向における前記溝部の幅は、前記キャップ部材の短手方向における前記吸引孔の最大幅よりも小さいことを特徴とする請求項１乃至４のいずれか一項に記載の液体吐出装置。
【請求項６】
前記吸引補助部材は、前記吸引補助部材の前記吸引経路を形成する面と前記キャップ部材の内周面との間に隙間を設ける第２の支持部を有することを特徴とする請求項１乃至５のいずれか一項に記載の液体吐出装置。
【請求項７】
前記吸引補助部材及び前記キャップ部材の少なくとも一方は弾性材料で形成され、前記吸引補助部材は前記キャップ部材に圧入可能であることを特徴とする請求項１乃至６のいずれか一項に記載の液体吐出装置。
【請求項８】
前記吸引補助部材及び前記キャップ部材の少なくとも一方は弾性材料で形成され、前記吸引補助部材は前記キャップ部材に対して前記第２の支持部を圧入することで固定されることを特徴とする請求項６に記載の液体吐出装置。
【請求項９】
前記吸引補助部材の前記液体吐出ヘッドに対向する面は、前記キャップ部材の短手方向において、中央部が凸状に湾曲していることを特徴とする請求項１乃至８のいずれか一項に記載の液体吐出装置。
【請求項１０】
吸引対象面に当接し、吸引対象面との間に空間を形成するとともに吸引対象面を覆うキャップ部材と、
前記キャップ部材の一面に形成された吸引孔を介して接続され、前記空間の圧力を低下させる吸引ポンプと、
前記キャップ部材の内部において、前記吸引孔及び前記吸引孔が形成された面を覆うとともに、吸引経路を形成する面を有する吸引補助部材と、
前記吸引補助部材の前記吸引経路を形成する面と前記キャップ部材の前記吸引孔が形成された面との間に隙間を設ける支持部とを備え、
前記吸引補助部材は、前記吸引孔と対向する面に前記キャップ部材の長手方向に伸びる溝部が形成され、
前記溝部は、前記吸引補助部材の端部において分岐していることを特徴とする吸引装置。
【請求項１１】
前記吸引補助部材は、前記キャップ部材に対し着脱可能であることを特徴とする請求項１０に記載の吸引装置。
【発明の詳細な説明】
【技術分野】
【０００１】
本発明は、液体吐出装置、及び吸引装置に関する。
【背景技術】
【０００２】
プリンタ、ファクシミリ、複写装置、プロッタ、これらの複合機などの画像形成装置として、例えばインク滴（液滴）を吐出する液体吐出ヘッド（液滴吐出ヘッド）を用いた液体吐出記録方式の画像形成装置（インクジェット記録装置）が知られている。
【０００３】
また、インクジェット記録装置は、液体吐出ヘッドから液体を吸引する吸引機構を備える。吸引機構は、液体吐出ヘッドのノズルに目詰まりなどが生じた場合、キャップによってヘッドノズル面を封止し、吸引ポンプの負圧によりノズルからインクを吸引排出して目詰まりを解消する（クリーニング動作）。
【０００４】
しかし、キャップ内のインクを除去するためにキャップ内吸引を行う際、キャップ内に液体の泡が残ることがある。キャップ内に泡が残ったままキャッピングすると、ヘッドノズル面に泡が接触して、混色、ノズル抜けなどの印刷不良を招くおそれがある。この液体の泡の発生を防ぐため、キャップ内部に吸収体を設ける技術が既に知られている。
【０００５】
例えば特許文献１には、リップ部を有するキャップと、リップ部が内側に倒れないための支持部材を備え、リップ部には、吸引圧力を支える傾斜面が形成されたパージ機構が開示されている。このパージ機構は、ヘッドノズル面とキャップの接触状態を適切に維持することで、キャップ内のインク吸収効率を高めることを目的としている。
【発明の概要】
【発明が解決しようとする課題】
【０００６】
ところで、従来のキャップ内に吸収体を設ける構成では、粘度が高く、乾燥すると固着するインクを用いる場合、十分に泡の発生を防ぐことができない。そのため、ユーザがキャップ内を清掃する必要があるが、吸収体は接着剤でキャップに張り付けられているので、取り外しての清掃や吸収体の交換は困難である。接着剤を用いず、吸収体を固定する保持機構を別途用いることになると、部品点数が増え、コスト増になる。
【０００７】
そこで本発明は、吸引補助部材により、泡の発生を抑えながらキャップ部材内の液体を吸引できる液体吐出装置の提供を目的とする。
【課題を解決するための手段】
【０００８】
上記課題は、複数のノズルから液体を吐出する液体吐出ヘッドと、前記液体吐出ヘッドから液体を吸引する吸引機構とを備える液体吐出装置において、前記吸引機構は、前記液体吐出ヘッドに当接し、前記液体吐出ヘッドとの間に空間を形成するとともに前記複数のノズルを覆うキャップ部材と、前記キャップ部材の一面に形成された吸引孔を介して接続され、前記空間の圧力を低下させる吸引ポンプと、前記キャップ部材の内部において、前記吸引孔及び前記吸引孔が形成された面を覆うとともに、前記キャップ部材との間に吸引経路を形成する面を有する吸引補助部材と、前記吸引補助部材の前記吸引経路を形成する面と前記キャップ部材の前記吸引孔が形成された面との間に隙間を設ける第１の支持部とを備え、前記吸引補助部材は、前記吸引孔と対向する面に前記キャップ部材の長手方向に伸びる溝部が形成され、前記溝部は、前記吸引補助部材の端部において分岐していることを特徴とする液体吐出装置によって解決される。
【発明の効果】
【０００９】
本発明の液体吐出装置は、吸引補助部材の吸引経路を形成する面とキャップ部材の吸引孔が形成された面との間に隙間が設けられているので、泡の発生を抑えながらキャップ部材内の液体を吸引できる。
【図面の簡単な説明】
【００１０】
【図１】本発明の一実施形態に係る液体吐出装置の全体構成を示す斜視図である。
【図２】本発明の一実施形態に係るキャリッジ走査機構部を示す斜視図である。
【図３】本発明の一実施形態に係る吸引機構の全体構成を示す正面図である。
【図４】（ａ）は本発明の一実施形態に係るキャップ部材の平面図であり、（ｂ）は同キャップ部材の斜視図である。
【図５】本発明の一実施形態に係る、キャップ部材及び吸引補助部材の正面図である。
【図６】本発明の一実施形態に係る吸引補助部材の形状を示す斜視図である。
【図７】キャップ部材に取り付けられた吸引補助部材を上方からみた平面図である。
【図８】（ａ）は吸引補助部材の平面図であり、（ｂ）は（ａ）の短手方向における側面図であり、（ｃ）は（ａ）のＡ−Ａ線における断面図である。
【図９】支柱が設けられていない吸引補助部材の形状を示す斜視図である。
【発明を実施するための形態】
【００１１】
以下、本発明の実施形態について添付図面を参照しながら説明する。
【００１２】
図１は本発明の一実施形態に係る液体吐出装置の全体構成を示す斜視図であり、図２はキャリッジ走査機構部を示す斜視図である。
【００１３】
図１に示すように、この液体吐出装置はシリアル型インクジェット記録装置であり、装置本体１と、装置本体１を支持する支持台２とを備える。装置本体１の内部には、両側板にガイド部材であるガイドロッド３及びガイドステー４が掛け渡され、これらのガイドロッド３及びガイドステー４にキャリッジ５が矢印Ａ方向（主走査方向）に移動可能に支持されている。
【００１４】
キャリッジ５には、ブラック（Ｋ）、イエロー（Ｙ）、マゼンタ（Ｍ）、シアン（Ｃ）の各色のインク滴を吐出する液体吐出ヘッドからなる記録ヘッド６が搭載されている。各記録ヘッド６は、液滴を吐出する複数のノズルを備える。また、各記録ヘッド６は、各記録ヘッド６にインクを供給するヘッドタンクを一体的に備える。
【００１５】
キャリッジ５を移動走査する主走査機構部１０は、主走査方向の一方側に配置される駆動モータ１１と、駆動モータ１１によって回転駆動される駆動プーリ１２と、主走査方向の他方側に配置された従動プーリ１３と、駆動プーリ１２と従動プーリ１３との間に掛け回された牽引部材であるタイミングベルト１４とを備える。なお、従動プーリ１３には、テンションスプリングによって外方（駆動プーリ１２に対して離れる方向）にテンションが掛けられている。
【００１６】
このキャリッジ５における主走査領域のうち、記録領域では、用紙２０が吸引搬送部によってキャリッジ５の主走査方向と直交する矢印Ｂ方向（副走査方向、用紙搬送方向）に間欠的に搬送される。
【００１７】
また、主走査領域のうち一方の端部側領域には、記録ヘッド６から液体を吸引する吸引機構８が配置されている。さらに、主走査方向のキャリッジ移動領域外、又は上記主走査領域のうち他方の端部側領域には、記録ヘッド６のサブタンクに供給する各色のインクを収容したメインカートリッジ９が装置本体１に対して着脱自在に装着される。また、給紙手段２１には、ロール紙（以下「用紙２０」という。）がセットされているが、幅方向のサイズが異なるロール紙もセット可能である。
【００１８】
このように構成された液体吐出装置において、画像形成は次のように行われる。まず、給紙手段２１から搬送された用紙２０は、装置本体１の後方から前方に向けて、搬送手段により記録領域へ搬送される。次に、キャリッジ５を主走査方向に移動し、吸引搬送部にて用紙２０をプラテン７に間欠的に送りながら、記録ヘッド６を画像情報に応じて駆動して液滴を吐出させることにより、用紙２０上に所要の画像が形成される。そして、画像形成後の用紙２０は、所定の長さにカットされ、装置本体１の正面側に配置された排紙トレイへ排出される。
【００１９】
ここでは用紙２０がカットされ、排紙される構成について説明したが、カットせず画像形成後の用紙を排紙部で巻き取る構成とすることもできる。
【００２０】
次に、本発明の特徴部分である記録ヘッドから液体を吸引する吸引機構の構成ついて詳細に説明する。
【００２１】
図３は、本発明の一実施形態に係る吸引機構の全体構成を示す正面図である。図３に示すように、吸引機構８は、キャップ部材３０と、吸引ポンプ３１と、吸引補助部材３２とを備える。
【００２２】
キャップ部材３０は、例えばゴムなどの弾性材料で形成されている。キャップ部材３０は、記録ヘッド６に当接し、記録ヘッド６との間に空間を形成するとともに、記録ヘッド６の複数のノズル面を気密的に覆う。したがって、ノズル面の保湿と保護が行われる。また、キャップ部材３０の内部を液体（インク）で満たすこともできる。さらに、キャップ部材３０の一面（下面）には、吸引孔３０ａが形成されている。
【００２３】
吸引ポンプ３１は、吸引孔３０ａを介してキャップ部材３０と接続しており、気体／液体を吸引できる。したがって、キャップ部材３０の内部に溜まった液体（インク）を吸引したり、キャップ部材３０と記録ヘッド６の間にある空間の圧力を低下させたりできる。
【００２４】
キャップ部材３０の内部にある吸引補助部材３２は、キャップ部材３０の吸引孔３０ａ及び吸引孔３０ａが形成された面（下面）を覆うとともに、吸引経路を形成する面を有する。
【００２５】
図４（ａ）は本発明の一実施形態に係るキャップ部材の平面図であり、（ｂ）は同キャップ部材の斜視図である。図４に示すように、キャップ部材３０の両端部にネジ止め用の孔３０ｂが設けられ、それらの間に吸引孔３０ａが設けられている。
【００２６】
図５は、本発明の一実施形態に係る、キャップ部材及び吸引補助部材の正面図である。図５に示すように、キャップ部材３０は、上方に向けて広がる形状を有し、その底面には直径３．０ｍｍ程度の吸引孔３０ａが形成されている。
【００２７】
また吸引補助部材３２は、高さが０．５ｍｍ程度の複数の支柱３２ａを有し、吸引補助部材３２の吸引経路を形成する面とキャップ部材３０の吸引孔３０ａが形成された面との間に隙間（ｃ１）を設けている。これにより、キャップ部材３０内の液体（インク）をキャップ部材３０の内壁に沿って、吸引補助部材３２の周囲から均一に吸引ポンプ３１で吸引できる。なお、複数の支柱３２ａは、第１の支持部の一例である。
【００２８】
図６は、本発明の一実施形態に係る吸引補助部材の形状を示す斜視図である。図６に示すように、吸引補助部材３２の長手方向両端に短辺側突起３２ｂが設けられ、短手方向両側に長辺側突起３２ｃがそれぞれ２カ所設けられている。短辺側突起３２ｂは長手方向外側に向かって１．５ｍｍ程度突き出ており、長辺側突起３２ｃも短手方向外側に向かって１．５ｍｍ程度突き出ている。また、短辺側突起３２ｂ及び長辺側突起３２ｃは、１．０ｍｍ程度の高さを有する。なお、短辺側突起３２ｂ及び長辺側突起３２ｃは、第２の支持部の一例である。
【００２９】
吸引補助部材３２の中央部には、キャップ部材３０の吸引孔３０ａと対向する面に、キャップ部材３０の長手方向に伸びる溝部３２ｄが形成されている。この溝部３２ｄは、断面が半径０．７５ｍｍ程度の半円状であり、長手方向両端部において分岐している。そして、支柱３２ａ以外の周辺部及び溝部３２ｄの分岐している長手方向両端部を通って、溝部３２ｄを含む部分にインクが流入する。
【００３０】
記録ヘッド６（液体吐出ヘッド）の大型化に伴い、キャップ部材３０の長手方向を長く伸ばしたとすると、吸引ポンプ３１の吸引力は吸引孔３０ａの周辺の隙間（ｃ１）に作用するものの、吸引孔３０ａから離れた側まで及ばなくなる。よって、液体や泡が残るおそれがある。そこで、このような溝部３２ｄを設けて吸引補助部材３２の断面積を増やし、流体抵抗値を下げることで、吸引孔３０ａより離れた側まで吸引力を及ぼすことができ、液体や泡を残らず吸引できる。
【００３１】
この溝部３２ｄのキャップ部材３０の短手方向における幅（ｗ）は、吸引孔３０ａの同じくキャップ部材３０の短手方向における最大幅よりも小さいことが望ましい。これにより、吸引孔３０ａは、溝部３２ｄだけでなく、その周辺の複数の支柱３２ａが形成された領域にも面することになる。したがって、吸引ポンプ３１による吸引力を、溝部３２ｄ（キャップ部材３０の長手方向）と周辺部（キャップ部材３０の短手方向）とに均一に作用させることができる。なお、この溝部３２ｄに沿って設けられている複数の支柱３２ａについては既に説明した。
【００３２】
吸引補助部材３２は、キャップ部材３０よりも剛性の大きい材料で形成されており、例えば、ゴム製のキャップ部材３０に対して、合成樹脂（プラスチック）で形成されている。先の図５に示したように、吸引補助部材３２はキャップ部材３０内に圧入可能であり、短辺側突起３２ｂがそれぞれキャップ部材３０の内壁（短辺側）を押圧し、長辺側突起３２ｃがそれぞれキャップ部材３０の内壁（長辺側）を押圧する。したがって、キャップ部材３０が弾性変形し、吸引補助部材３２がキャップ部材３０に固定される。ここで、キャップ部材３０と吸引補助部材３２の固定には接着材などを用いないので、吸引補助部材３２はキャップ部材３０から取り出すことができる（脱着可能）。
【００３３】
図７は、キャップ部材に取り付けられた吸引補助部材を上方からみた平面図である。図７に示すように、キャップ部材３０の内周面と吸引補助部材３２の吸引経路を形成する面との間には、第２の支持部（短辺側突起３２ｂ及び長辺側突起３２ｃ）により、１．０ｍｍ程度の隙間（ｃ２）が生じている。このように、吸引補助部材３２の周囲とキャップ部材３０の内壁の間に隙間を設けることで、キャップ部材３０の内壁に沿って液体（インク）を吸引することができる。
【００３４】
図８は、（ａ）は吸引補助部材の平面図であり、（ｂ）は（ａ）の短手方向における側面図であり、（ｃ）は（ａ）のＡ−Ａ線における断面図である。
【００３５】
図８（ｂ）は吸引補助部材３２を側面から見ており、中央の四角は短辺側突起３２ｂを示し、両脇の半球は溝部３２ｄのＹ字形状の部分を示す。図８（ｃ）は吸引補助部材３２の断面であり、中央の四角は短辺側突起３２ｂを示し、その上の半球は溝部３２ｄを示す。
【００３６】
また、図８（ｂ）、（ｃ）に示すように、吸引補助部材３２の上部（記録ヘッド６に対向する面）は、吸引補助部材３２の短手方向において、中央部が凸状に湾曲している。すなわち、吸引補助部材３２の上部は、中央部が最も高く、周囲に向かうにつれて徐々に低くなるような傾斜が設けられている。これにより、吸引補助部材３２の上部に液体（インク）が留まることなく、周囲に流れるため、液体（インク）の吸引残りを防ぐことができる。
【００３７】
以上説明したように、本実施形態の液体吐出装置は、第１の支持部材により、吸引補助部材３２の吸引経路を形成する面とキャップ部材３０の吸引孔３０ａが形成された面との間に隙間（ｃ１）を設けている（図５参照）。また、第２の支持部材により、吸引補助部材３２の吸引経路を形成する面とキャップ部材３０内周面との間に隙間（ｃ２）を設けている（図７参照）。したがって、吸引ポンプ３１により、キャップ部材３０の内周に沿った全域からの吸引が可能となり、泡の発生を抑えながら、キャップ部材３０内の液体（インク）を吸収できる。
【００３８】
また本実施形態の液体吐出装置は、吸引補助部材３２が、第２の支持部（短辺側突起３２ｂ及び長辺側突起３２ｃ）により、キャップ部材３０を押圧して固定できるため、容易に着脱可能である。したがって、ユーザによる交換／清掃が可能であり、また別途保持機構を用いないので安価に構成することができる。
【００３９】
なお、本実施形態では、キャップ部材３０を弾性材料で形成し、吸引補助部材３２をキャップ部材３０よりも剛性の大きい材料で形成するとしたが、これに限定されない。吸引補助部材３２を弾性材料で形成し、キャップ部材３０を吸引補助部材３２よりも剛性が大きい材料で形成してもよい。
【００４０】
また、吸引補助部材３２は、複数の支柱３２ａを有する（一体に構成される）としたが、これに限定されない。図９に、支柱が設けられていない吸引補助部材の形状を示す。この吸引補助部材３２’は、支柱３２ａが設けられていないことを除けば、図６に示した吸引補助部材３２と同じである。この場合、キャップ部材３０が複数の支柱３２ａを有してもよいし、複数の支柱３２ａを別途設けてもよい。
【００４１】
（変形例）
これまで液体吐出装置の吸引機構について説明した。吸引機構は液体吐出装置以外にも、吸引装置として工業用、医療用など他の用途に用いることができる。その場合、吸引装置は、吸引対象面に当接し、吸引対象面との間に空間を形成するとともに吸引対象面を気密的に覆うキャップ部材を備えるとすればよい。その他の構成（吸引ポンプ、吸引補助部材、第１の支持部及び第２の支持部）は、先に説明した吸引機構を適宜変更して用いればよい。
【００４２】
続いて、本願において用いられる用語について、明確な定義を示す。
【００４３】
「液体吐出装置」は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
【００４４】
この「液体吐出装置」は、液体が付着可能なものの給送、搬送、排紙に係わる手段、その他、前処理装置、後処理装置なども含むことができる。
【００４５】
「液体吐出装置」としては、例えば、インクを吐出させて用紙に画像を形成する装置である画像形成装置や、立体造形物（三次元造形物）を造形するために、粉体を層状に形成した粉体層に造形液を吐出させる立体造形装置（三次元造形装置）がある。
【００４６】
また、「液体吐出装置」は、吐出された液体によって文字、図形等の有意な画像が可視化されるものに限定されるものではない。例えば、それ自体意味を持たないパターン等を形成するもの、三次元像を造形するものも含まれる。
【００４７】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００４８】
上記「液体が付着可能なもの」の材質は、紙、糸、繊維、布帛、皮革、金属、プラスチック、ガラス、木材、セラミックス、壁紙や床材などの建材、衣料用のテキスタイルなど液体が一時的でも付着可能であればよい。
【００４９】
また、「液体」は、インク、処理液、ＤＮＡ試料、レジスト、パターン材料、結着剤、造形液、又は、アミノ酸、たんぱく質、カルシウムを含む溶液及び分散液なども含まれる。
【００５０】
また、「液体吐出装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００５１】
また、「液体吐出装置」としては他にも、用紙の表面を改質するなどの目的で用紙の表面に処理液を塗布するために処理液を用紙に吐出する処理液塗布装置がある。また、原材料を溶液中に分散した組成液を、ノズルを介して噴射させて原材料の微粒子を造粒する噴射造粒装置などもある。
【００５２】
「液体吐出ユニット」とは、液体吐出ヘッドに機能部品、機構が一体化したものであり、液体の吐出に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００５３】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていてもよい。
【００５４】
主走査移動機構は、ガイド部材単体も含むものとする。また、供給機構は、チューブ単体、装填部単体も含むものする。
【００５５】
また、「液体吐出ヘッド」は、使用する圧力発生手段が限定されるものではない。例えば、上記実施形態で説明したような圧電アクチュエータ（積層型圧電素子を使用するものでもよい。）以外にも、発熱抵抗体などの電気熱変換素子を用いるサーマルアクチュエータ、振動板と対向電極からなる静電アクチュエータなどを使用するものでもよい。
【００５６】
また、本願の用語における、画像形成、記録、印字、印写、印刷、造形等はいずれも同義語とする。
【００５７】
本明細書において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【００５８】
「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００５９】
「画像」とは平面的なものに限らず、立体的に形成されたものに付与された画像、また立体自体を三次元的に造形して形成された像も含まれる。
【００６０】
画像形成装置には、特に限定しない限り、シリアル型画像形成装置及びライン型画像形成装置のいずれも含まれる。
【００６１】
以上、実施形態を用いて本発明を詳細に説明した。この実施形態は一例であり、要旨を逸脱しない範囲内で種々変更して使用できる。
【符号の説明】
【００６２】
１  装置本体
２  支持台
３  ガイドロッド
４  ガイドステー
５  キャリッジ
６  記録ヘッド
７  プラテン
８  吸引機構
９  メインカートリッジ
１０  主走査機構部
１１  駆動モータ
１２  駆動プーリ
１３  従動プーリ
１４  タイミングベルト
２０  用紙
２１  給紙手段
３０  キャップ部材
３０ａ  吸引孔
３０ｂ  ネジ止め用の孔
３１  吸引ポンプ
３２、３２’  吸引補助部材
３２ａ  支柱
３２ｂ  短辺側突起
３２ｃ  長辺側突起
３２ｄ  溝部
【先行技術文献】
【特許文献】
【００６３】
【特許文献１】特開２００７−０９０８０７号公報
【図１】
0006988505.tif 000002
【図２】
0006988505.tif 000003
【図３】
0006988505.tif 000004
【図４】
0006988505.tif 000005
【図５】
0006988505.tif 000006
【図６】
0006988505.tif 000007
【図７】
0006988505.tif 000008
【図８】
0006988505.tif 000009
【図９】
0006988505.tif 000010